【事件の表示】
　特願２０００−５５８６４３「ワイヤレスアプリケーションプロトコルに基づく機密セッションの設定」拒絶査定不服審判事件〔平成１２年　１月１３日国際公開、ＷＯ００／０２３５８、平成１４年　７月　９日国内公表、特表２００２−５２０９１１〕について、次のとおり審決する。
【結　論】
　本件審判の請求は、成り立たない。
【理　由】
１．手続の経緯
　
　本願は、１９９９年７月２日（パリ条約による優先権主張外国庁受理１９９８年７月３日、デンマーク）を国際出願日とする出願であって、平成１３年１月４日に特許法第１８４条の５第１項に規定される書面が提出されるとともに、同日付けで国際出願翻訳文提出書及び条約３４条補正翻訳文提出書が提出され、平成２１年５月２９日付けで最初の拒絶理由通知（同年６月８日発送）がなされ、同年１２月７日付けで意見書が提出されるとともに、手続補正がなされ、同年１２月２５日付けで拒絶査定（平成２２年１月７日発送）がなされ、これに対し、平成２２年４月２７日に審判請求がなされるとともに手続補正がなされたものである。そして、平成２２年９月１６日付けで特許法第１６４条第３項に定める報告（前置報告）がなされ、平成２３年２月２５日付けで当審より審尋（同年３月３日発送）がなされたが、出願人からの応答がなかったものである。
　
２．補正の適否
　
　平成２２年４月２７日付けの手続補正は、願書に最初に添付した明細書、特許請求の範囲又は図面に記載した事項の範囲内においてなされており、また、拒絶の理由についてする不明りょうな記載を釈明するものであるから、特許法第１７条の２第３項及び第４項の規定に適合している。
　
３．本願発明の認定
　
　特許請求の範囲の請求項１に係る発明（以下、「本願発明」という。）は、平成２２年４月２７日付け手続補正書により補正された明細書及び図面の記載から見て、その特許請求の範囲の請求項１に記載された以下のとおりのものと認める。
　
「【請求項１】　ワイヤレスアプリケーションプロトコルに基づいてワイヤレス通信装置とデータ通信装置との間に機密接続を確立するための方法であって、
　上記ワイヤレス通信装置は、メモリ手段を備える個別ユニットから情報を受信するコンタクト手段を有し、上記メモリ手段は、上記データ通信装置に接続されたワイヤレス通信ネットワークを通るワイヤレス通信装置のアクセスを制御するための情報を含み、上記方法は、
　上記ワイヤレス通信装置を上記個別ユニットに接続して、上記データ通信装置に接続されたワイヤレス通信ネットワークにアクセスし、
　ワイヤレス通信装置は、接続を確立するための要求をデータ通信装置に送信し、この要求は、ワイヤレス通信装置がどの所定アルゴリズムをサポートするかの情報を含み、
　上記要求を受信すると、データ通信装置は、公衆キー及びプライベートキーに関連した少なくとも１つのアルゴリズムを選択し、そしてワイヤレス通信装置へメッセージを返送し、このメッセージは、公衆キーと、データ通信装置がどのアルゴリズムを選択したかの情報とを含み、
　公衆キーを含むメッセージを受信すると、ワイヤレス通信装置は、マスターシークレットコードを発生し、選択されたアルゴリズム、公衆キー及びマスターシークレットコードに基づいて符牒を計算し、そしてデータ通信装置へ応答を送信し、この応答は計算された符牒を含み、
　符牒を含むこの応答を受信すると、データ通信装置は、選択されたアルゴリズム、受信した符牒及びプライベートキーに基づいてマスターシークレットコードを計算し、そしてワイヤレス通信装置への機密接続を確立し、そして
　上記マスターシークレットコードを上記メモリ手段にセーブして、後で接続を再確立できるようにするという段階を含むことを特徴とする方法。」
　
４．引用文献
　
　原査定の拒絶の理由に引用され、本願発明の詳細な説明の段落【００３４】にも引用されているWireless Application Forum, Ltd., WAP WTLS Versioin 30-Apr-1998, Wireless Application Protocol Wireless Transport Layer Security Specification（ワイヤレス搬送層セキュリティ仕様書）, 1998年4月30日（以下、「引用文献」という。）には、図面とともに次の事項が記載されている。
　
（ア）「1 Scope
The Wireless Application Protocol (WAP) … define … specification for developing applications that operate over wireless communication networks. ….
The Security layer protocol in the WAP architecture is called the Wireless Transport Layer Security, WTLS. … WTLS provides an interface for managing (eg, creating and terminating) secure connections.」
（第４頁１行目〜１３行目、当審訳：
１　範囲
ワイヤレス・アプリケーション・プロトコル（ＷＡＰ）は、ワイヤレス通信ネットワークを経由して動作するアプリケーションを開発するための仕様を規定する。…（中略）…。
ＷＡＰアーキテクチャにおけるセキュリティ層プロトコルは、ワイヤレス・トランスポート層セキュリティ（ＷＴＬＳ）と呼ばれている。…（中略）…ＷＴＬＳは、セキュアな接続を管理（例えば、確立、終了）するためのインタフェースを提供する。）
　
（イ）「10.3 Handshake Protocol Overview
The cryptographic parameters of the secure session are produced by the WTLS Handshake Protocol, …. When a WTLS client and server first start communicating, they agree on a protocol version, select cryptographic algorithms, …, and use public-key encryption techniques to generate a shared secret.」
（第４６頁１５行目〜１９行目、当審訳：
１０．３　ハンドシェークプロトコルの概要
セキュアなセッションで用いる暗号パラメータは、…（中略）…ＷＴＬＳハンドシェークプロトコルによって生成される。ＷＴＬＳクライアントとサーバが最初に通信を開始するとき、サーバとクライアントは、プロトコルバージョンを合意し、暗号アルゴリズムを選択し、…（中略）…、共有シークレットを生成するための公開鍵暗号技術を使用する。）
　
（ウ）「10.5.1.2 Client Hello
…
When a client first connects to a server it is required to send the client hello as its first message.
…
The key exchange list contains the cryptographic key exchange algorithms supported by the client in decreasing order of preference.」
（第５０頁２８行目〜３５行目、当審訳：
１０．５．１．２　クライアントハロー
…（中略）…
クライアントが、最初にサーバに接続するときには、クライアントハローを最初のメッセージとして送信する必要がある。
…（中略）…。
キー交換リストは、クライアントによってサポートされる暗号鍵交換アルゴリズムを優先度の高いものから順に含んでいる。）
　
（エ）「10.5.1.3 Server Hello
…
The server will send this message in response to a client hello message ….
…
struct {
…
CipherSuite cipher_suite;
…
} ServerHello;
…
cipher_suite | The single cipher suite selected by the server from the list in ClientHello.cipher_suites.」
（第５６頁１６行目〜第５７頁１３行目、当審訳：
１０．５．１．３　サーバハロー
…（中略）…
サーバは、クライアントハローメッセージに対する応答として当該メッセージを送信する。
…（中略）…
サーバハローメッセージ（ServerHello）は、暗号スイート（cipher_suite）を含んでおり、…（中略）…
当該暗号スイートは、クライアントハローメッセージに含まれるリストからサーバによって選択された１つの暗号スイートを意味する。）
　
（オ）「10.5.2 Server Certificate
…
If sent this message must always immediately follow the server hello message.
…
The certificate type must be appropriate for the selected key exchange suite’s algorithm.
struct {
…
} PublicKey;
…
public_key | Public key that is being certified.」
（第５７頁２３行目〜第５９頁４行目、当審訳：
１０．５．２　サーバ証明書
…（中略）…
サーバハローメッセージの直後に、当該メッセージを常に送信する。
…（中略）…
証明書の種類は、選択された鍵交換アルゴリズムに適したものでなければならない。
…（中略）…
サーバ証明書は、公開鍵（PublicKey）を含んでおり、…（中略）…
当該公開鍵は、認証されている公開鍵を意味する。）
　
（カ）「10.5.6 Client Certificate
…
This message the client can be sent after receiving a server hello done message.
…
10.5.7 Client Key Exchange Message
…
This message will immediately follow the client certificate message, if it is sent.
…
10.5.7.1 RSA Encrypted Secret Message
Meaning of this message:
If RSA is being used for key agreement and authentication, the client generates a 20 byte secret, encrypts it using the public key from the server’s certificate and sends the result in an encrypted secret message.」
（第６２頁１４行目〜第６３頁１２行目、当審訳：
１０．５．６　クライアント証明書
…（中略）…
当該メッセージは、サーバハロー終了メッセージを受信した後、クライアントが送信する。…（中略）…。
１０．５．７　クライアント鍵交換メッセージ
…（中略）…
当該メッセージは、クライアント証明書メッセージの直後に送信される。
…（中略）…
１０．５．７．１　ＲＳＡ暗号シークレットメッセージ
当該メッセージの意味：
ＲＳＡが合意された暗号鍵交換アルゴリズムとして使用される場合、クライアントは、２０バイトのシークレットを生成し、当該シークレットをサーバ証明書に含まれるサーバの公開鍵を用いて、選択された暗号鍵交換アルゴリズムで暗号化し、暗号シークレットメッセージとして、その結果をサーバに送信する。）
　
（キ）「11.1 Computing the Master Secret
In order to begin message protection, the WTLS Record Protocol requires … a suite of algorithms, a master secret, ….
…
11.1.1 RSA Encryption Scheme
When RSA is used for server authentication and key exchange, a 20-byte secret value is generated by the client, encrypted under the server’s public key, and sent to the server. The server uses its private key to decrypt the secret value. The pre_master_secret is the secret value appended with the server’s public key. Both parties then convert the pre_master_secret into the master_secret, as specified above.」
（第６６頁２行目〜１９行目、当審訳：
１１．１　マスターシークレットの計算
メッセージ保護を確立するために、ＷＴＬＳプロトコルは、選択されたアルゴリズム、マスターシークレット等を要求する。
…（中略）…
１１．１．１　ＲＳＡ暗号スキーム
ＲＳＡがサーバ認証及び鍵交換として用いられる時、クライアントは、２０バイトのシークレットを生成し、サーバの公開鍵で暗号化し、サーバに送信する。サーバは、自身のプライベート鍵を用いてシークレットを復号する。プレマスターシークレットはシークレットにサーバの公開鍵を付加したものである。クライアントとサーバは、それぞれ、プレマスターシークレットをマスターシークレットに変換する。）
　
（ク）「11.1.4 Session resume
In a session resume, the master_secret is not recalculated. This means that a resumed session uses the same master_secret as the previous one.」
（第６７頁１２行目〜１４行目、当審訳：
１１．１．４　セッションの再開
セッションの再開時に、マスターシークレットは再計算されない。すなわち、セッションの再開に際しては、前回使用されたものと同じマスターシークレットが使用される。）
　
　（ア）及び（イ）における記載からすると、ワイヤレス・アプリケーション・プロトコル・アーキテクチャにおけるＷＴＬＳを用いてクライアントとサーバとの間にセキュアな接続を確立するための方法が記載されているものと認められる。
　
　（ア）、（イ）及び（キ）における記載からすると、マスターシークレットは、ワイヤレス通信ネットワークで接続されたサーバとクライアントとの間にセキュアな接続を確立するためのものであることから、サーバに接続されたクライアントのアクセスを制御するための情報であると認められる。そして、（ク）における記載からすると、クライアントとサーバが接続を再開するときには、マスターシークレットを再計算することなく、以前のものと同じマスターシークレットを用いて接続を再確立できるようにする態様が記載されているものと認められるが、「以前のものと同じマスターシークレットを用い」るということは、クライアントが何らかの記憶手段（以下、「メモリ手段」という。）を有し、マスターシークレットを当該メモリ手段にセーブしておいて再利用することに他ならない。そして、クライアントがメモリ手段を有する場合、メモリ手段へ情報を送受信するためのアクセス手段（以下、「コンタクト手段」という。）を有することは、自明のことである。
　してみれば、引用文献には、クライアントは、メモリ手段から情報を受信するコンタクト手段を有し、上記メモリ手段は、上記サーバに接続されたワイヤレス通信ネットワークを通るクライアントのアクセスを制御するための情報を含む態様が記載されているものと認められる。
　
　（ア）及び（イ）における記載からすると、クライアントがサーバに接続されたワイヤレス通信ネットワークにアクセスする態様が記載されているものと認められる。
　
　（ウ）における記載からすると、クライアントは、接続を確立するためのクライアントハローメッセージをサーバに送信し、このクライアントハローメッセージは、クライアントによってサポートされる暗号鍵交換アルゴリズムのリストを含む態様が記載されているものと解される。
　
　（エ）及び（オ）における記載からすると、クライアントハローメッセージを受信すると、サーバは、クライアントから受け取ったリストからサーバによって選択された１つの暗号スイート（暗号鍵交換アルゴリズム）を含むサーバハローメッセージと、サーバの公開鍵を含むサーバ証明書メッセージをクライアントに送信する態様が記載されているものと認められる。
　
　（カ）及び（キ）における記載からすると、サーバの公開鍵を含むメッセージを受信すると、（暗号鍵交換アルゴリズムとしてＲＳＡが選択された場合）、クライアントは、シークレットを生成し、選択された暗号鍵交換アルゴリズム、サーバの公開鍵を用いてシークレットを暗号化し、そしてシークレットを暗号化した結果を含むクライアント鍵交換メッセージをサーバへ送信し、また、当該シークレットからマスターシークレットを生成する態様が記載されているものと認められる。
　
　（キ）における記載からすると、暗号化されたシークレットを含むクライアント鍵交換メッセージを受信すると、サーバは、選択された暗号鍵交換アルゴリズム、自身のプライベート鍵を用いて受信した暗号化されたシークレットを復号してシークレットを生成し、シークレットに基づいてマスターシークレットを計算し、そしてクライアントとのデータ交換におけるメッセージ保護を確立する態様が記載されているものと認められる。
　
　（ク）における記載からすると、クライアントとサーバが接続を再開するときには、マスターシークレットを再計算することなく、以前のものと同じマスターシークレットを用いて接続を再確立できるようにする態様が記載されているものと認められる。ここで、「以前のものと同じマスターシークレットを用い」るということは、マスターシークレットを何らかの記憶手段（以下、「メモリ手段」という。）にセーブしておいて再利用することに他ならない。してみれば、引用文献には、マスターシークレットをメモリ手段にセーブして、後で接続を再確立できるようにする態様が記載されているものと認められる。
　
　したがって、引用文献には、次の発明（以下、「引用発明」という。）が記載されていると認められる。
　
　ワイヤレス・アプリケーション・プロトコル・アーキテクチャにおけるＷＴＬＳを用いてクライアントとサーバとの間にセキュアな接続を確立するための方法であって、
　上記クライアントは、メモリ手段から情報を受信するコンタクト手段を有し、上記メモリ手段は、上記サーバに接続されたワイヤレス通信ネットワークを通るクライアントのアクセスを制御するための情報を含み、上記方法は、
　上記クライアントが、上記サーバに接続されたワイヤレス通信ネットワークにアクセスし、
　クライアントは、接続を確立するためのクライアントハローメッセージをサーバに送信し、このクライアントハローメッセージは、クライアントによってサポートされる暗号鍵交換アルゴリズムのリストを含み、
　上記クライアントハローメッセージを受信すると、サーバは、クライアントから受け取ったリストからサーバによって選択された暗号鍵交換アルゴリズムを含むサーバハローメッセージと、サーバの公開鍵を含むサーバ証明書メッセージをクライアントに送信し、
　サーバの公開鍵を含むメッセージを受信すると、クライアントは、シークレットを生成し、選択された暗号鍵交換アルゴリズム、サーバの公開鍵を用いてシークレットを暗号化し、そしてシークレットを暗号化した結果を含むクライアント鍵交換メッセージをサーバへ送信し、また、当該シークレットからマスターシークレットを生成し、
　暗号化されたシークレットを含むこのクライアント鍵交換メッセージを受信すると、サーバは、選択された暗号鍵交換アルゴリズム、自身のプライベート鍵を用いて受信した暗号化されたシークレットを復号してシークレットを生成し、シークレットに基づいてマスターシークレットを計算し、そしてクライアントとのデータ交換におけるメッセージ保護を確立し、そして
　上記マスターシークレットを上記メモリ手段にセーブして、後で接続を再確立できるようにするという段階を含むことを特徴とする方法。
　
５．対比 
　
　ここで、本願発明と引用発明とを比較する。 
　
　引用発明の「ワイヤレス・アプリケーション・プロトコル・アーキテクチャにおけるＷＴＬＳを用いて」は、本願発明の「ワイヤレスアプリケーションプロトコルに基づいて」に相当する。
　引用発明の「クライアント」は、本願発明の「ワイヤレス通信装置」に相当する。
　引用発明の「サーバ」は、本願発明の「データ通信装置」に相当する。
　引用発明の「セキュアな接続」は、本願発明の「機密接続」に相当する。
　
　引用発明の「クライアントは、接続を確立するためのクライアントハローメッセージをサーバに送信し、このクライアントハローメッセージは、クライアントによってサポートされる暗号鍵交換アルゴリズムのリストを含み」において、引用発明の「（接続を確立するための）クライアントハローメッセージ」は、本願発明の「（接続を確立するための）要求」に相当する。また、本願発明の詳細な説明における段落【００３４】等の記載を参酌すると、本願発明におけるアルゴリズムも暗号キー交換アルゴリズムのことであることから、引用発明の「クライアントによってサポートされる暗号鍵交換アルゴリズムのリスト」は、本願発明の「ワイヤレス通信装置がどの所定アルゴリズムをサポートするかの情報」に相当していると言える。してみれば、引用発明の「クライアントは、接続を確立するためのクライアントハローメッセージをサーバに送信し、このクライアントハローメッセージは、クライアントによってサポートされる暗号鍵交換アルゴリズムのリストを含み」は、本願発明の「ワイヤレス通信装置は、接続を確立するための要求をデータ通信装置に送信し、この要求は、ワイヤレス通信装置がどの所定アルゴリズムをサポートするかの情報を含み」に相当していると言える。
　
　引用発明の「クライアントから受け取ったリストからサーバによって選択された暗号鍵交換アルゴリズムを含むサーバハローメッセージと、サーバの公開鍵を含むサーバ証明書メッセージをクライアントに送信し」において、当該「選択された暗号鍵交換アルゴリズム」は公開鍵暗号方式を用いていることから、公開鍵及びプライベート鍵に関連したものである。そして、引用発明の「選択された暗号鍵交換アルゴリズム」、「公開鍵」、「プライベート鍵」、「送信」は、それぞれ、本願発明の「選択されたアルゴリズム」、「公衆キー」、「プライベートキー」、「返送」に相当する。してみれば、引用発明の「クライアントから受け取ったリストからサーバによって選択された暗号鍵交換アルゴリズムを含むサーバハローメッセージと、サーバの公開鍵を含むサーバ証明書メッセージをクライアントに送信し」は、「公衆キー及びプライベートキーに関連した少なくとも１つのアルゴリズムを選択し、そしてワイヤレス通信装置へメッセージを返送し、このメッセージは、公衆キーと、データ通信装置がどのアルゴリズムを選択したかの情報とを含み」に相当していると言える。
　
　引用発明の「サーバの公開鍵を含むメッセージを受信すると、クライアントは、シークレットを生成し、選択された暗号鍵交換アルゴリズム、サーバの公開鍵を用いてシークレットを暗号化し、そしてシークレットを暗号化した結果を含むクライアント鍵交換メッセージをサーバへ送信し、また、当該シークレットからマスターシークレットを生成し、
　暗号化されたシークレットを含むこのクライアント鍵交換メッセージを受信すると、サーバは、選択された暗号鍵交換アルゴリズム、自身のプライベート鍵を用いて受信した暗号化されたシークレットを復号してシークレットを生成し、シークレットに基づいてマスターシークレットを計算し、そしてクライアントとのデータ交換におけるメッセージ保護を確立」において、
引用発明の「クライアント鍵交換メッセージ」は、サーバから受信したサーバの公開鍵を含むメッセージに対する応答メッセージであることから、本願発明の「応答」に相当する。そして、引用発明の「シークレットを暗号化した結果」と、本願発明の「符牒」とは、ともに、ワイヤレス通信ネットワーク上でワイヤレス通信装置とデータ通信装置が機密通信を行うための「秘密の情報」である点で共通する。また、引用発明のサーバと本願発明のデータ通信装置は、ともに、受信した当該「秘密の情報」から「セキュアな通信を確立するための情報」を生成し、そして機密接続を確立する点で共通する。
　してみれば、引用発明の「サーバの公開鍵を含むメッセージを受信すると、クライアントは、シークレットを生成し、選択された暗号鍵交換アルゴリズム、サーバの公開鍵を用いてシークレットを暗号化し、そしてシークレットを暗号化した結果を含むクライアント鍵交換メッセージをサーバへ送信し、また、当該シークレットからマスターシークレットを生成し、
　暗号化されたシークレットを含むこのクライアント鍵交換メッセージを受信すると、サーバは、選択された暗号鍵交換アルゴリズム、自身のプライベート鍵を用いて受信した暗号化されたシークレットを復号してシークレットを生成し、シークレットに基づいてマスターシークレットを計算し、そしてクライアントとのデータ交換におけるメッセージ保護を確立」と、
本願発明の「公衆キーを含むメッセージを受信すると、ワイヤレス通信装置は、マスターシークレットコードを発生し、選択されたアルゴリズム、公衆キー及びマスターシークレットコードに基づいて符牒を計算し、そしてデータ通信装置へ応答を送信し、この応答は計算された符牒を含み、
　符牒を含むこの応答を受信すると、データ通信装置は、選択されたアルゴリズム、受信した符牒及びプライベートキーに基づいてマスターシークレットコードを計算し、そしてワイヤレス通信装置への機密接続を確立」とは、ともに、
「公衆キーを含むメッセージを受信すると、ワイヤレス通信装置は、選択されたアルゴリズム、公衆キーを用いて秘密の情報を生成し、そしてデータ通信装置へ応答を送信し、この応答は秘密の情報を含み、
　秘密の情報を含むこの応答を受信すると、データ通信装置は、セキュアな通信を確立するための情報を生成し、そしてワイヤレス通信装置への機密接続を確立」する点で共通する。
　
　引用発明の「データ交換におけるメッセージ保護」は、本願発明の「機密接続」に相当する。してみれば、引用発明の「クライアントとのデータ交換におけるメッセージ保護を確立し」は、本願発明の「ワイヤレス通信装置への機密接続を確立し」に相当していると言える。
　
　したがって、本願発明と引用発明とは、以下の点で一致し、また、相違している。
　
（一致点） 
　
　ワイヤレスアプリケーションプロトコルに基づいてワイヤレス通信装置とデータ通信装置との間に機密接続を確立するための方法であって、
　上記ワイヤレス通信装置は、メモリ手段から情報を受信するコンタクト手段を有し、上記メモリ手段は、上記データ通信装置に接続されたワイヤレス通信ネットワークを通るワイヤレス通信装置のアクセスを制御するための情報を含み、上記方法は、
　上記ワイヤレス通信装置を、上記データ通信装置に接続されたワイヤレス通信ネットワークにアクセスし、
　ワイヤレス通信装置は、接続を確立するための要求をデータ通信装置に送信し、この要求は、ワイヤレス通信装置がどの所定アルゴリズムをサポートするかの情報を含み、
　上記要求を受信すると、データ通信装置は、公衆キー及びプライベートキーに関連した少なくとも１つのアルゴリズムを選択し、そしてワイヤレス通信装置へメッセージを返送し、このメッセージは、公衆キーと、データ通信装置がどのアルゴリズムを選択したかの情報とを含み、
　公衆キーを含むメッセージを受信すると、ワイヤレス通信装置は、選択されたアルゴリズム、公衆キーを用いて秘密の情報を生成し、そしてデータ通信装置へ応答を送信し、この応答は秘密の情報を含み、
　秘密の情報を含むこの応答を受信すると、データ通信装置は、セキュアな通信を確立するための情報を生成し、そしてワイヤレス通信装置への機密接続を確立し、そして
　セキュアな通信を確立するための情報を上記メモリ手段にセーブして、後で接続を再確立できるようにするという段階を含むことを特徴とする方法。
　
（相違点１）
　
　本願発明におけるメモリ手段が、ワイヤレス通信装置に接続される個別ユニットに備えられているのに対して、引用発明におけるメモリ手段は、どのようなものか不明である点。
　
（相違点２）
　
　応答に含まれる秘密の情報において、本願発明では、マスターシークレットコードを暗号化したものであるのに対して、引用発明では、（マスターシークレットを生成する基本となる）シークレットを暗号化したものである点。
　
（相違点３）
　
　本願発明では、暗号化されたマスターシークレットコードを復号してセキュアな通信を確立するための情報を生成するのに対して、引用発明では、暗号化されたシークレットを復号してシークレットを生成し、当該シークレットを変換することでセキュアな通信を確立するための情報を生成する点。
　
６．判断 
　
（１）相違点１について検討する。
　
　ワイヤレス通信ネットワークに接続するクライアントにおいて、メモリ手段を備えるスマートカード等の個別ユニットを備えることは、引用文献等を示すまでもなく、当該技術分野において慣用的に用いられている技術常識的事項に過ぎない。
　そして、セキュアな接続を行うための機密情報を、スマートカード等の個別ユニットに格納する技術についても周知技術（必要であれば、特開平１０−６６１５７号公報等を参照）である。
　してみれば、引用発明におけるマスターシークレット（本願発明における「マスターシークレットコード」に相当）を、クライアントに接続される個別ユニットが備えるメモリ手段にセーブするよう構成することは、当業者であれば、容易に想到し得たものである。
　
　よって、相違点１は格別のものではない。
　
（２）相違点２及び相違点３について検討する。
　
　ワイヤレス通信ネットワークに接続するサーバとクライアントとの間でセキュアな通信を確立するためのハンドシェークにおいて、クライアント側でマスターシークレットを生成し、暗号化してサーバ側に送信し、受信したサーバ側でマスターシークレットを復号して、当該マスターシークレットをサーバとクライアントの双方で共有する技術は、当該技術分野において、周知技術（必要であれば、国際公開ＷＯ９８／１０５６１号（特に、１１頁２７行目〜１２頁２行目）等参照）に過ぎず、引用発明においても、当該周知技術を採用し、クライアント側でマスターシークレットコードを生成し、シークレットに換えて当該マスターシークレットコードを暗号化してサーバ側に送信し、受信したサーバ側で復号してマスターシークレットコードを生成するよう構成することは、当業者であれば、適宜なし得たことである。
　
　よって、相違点２及び相違点３は格別のものではない。
　
　上記で検討したごとく、相違点１、相違点２及び相違点３は格別のものではなく、そして、本願発明の構成によってもたらされる効果も、当業者であれば当然に予測可能なものに過ぎず格別なものとは認められない。 
　
　したがって、本願発明は、引用発明及び周知技術に基づいて、容易に発明できたものである。
　
７．特許請求の範囲の請求項１２についての当審の判断
　
（１）本願請求項１２に係る発明の認定
　
　特許請求の範囲の請求項１２に係る発明（以下、「本願請求項１２に係る発明」という。）は、平成２２年４月２７日付け手続補正書により補正された明細書及び図面の記載から見て、その特許請求の範囲の請求項１２に記載された以下のとおりのものと認める。
　
「【請求項１２】　ワイヤレスアプリケーションプロトコルに基づいてワイヤレス通信装置とデータ通信装置との間に機密接続を確立するためのメモリカードであって、上記ワイヤレス通信装置に設けられたコンタクト手段に接続され、データ通信装置への機密セッションを確立する際にメモリカードからワイヤレス通信装置へ情報を与え、この情報は、ワイヤレス通信ネットワークを通るワイヤレス通信装置のアクセスを制御するものであり、前記ワイヤレス通信装置はデータ通信装置に接続されており、そして１つ以上のデータ通信装置に関連した計算されたマスターシークレットをセーブして、データ通信装置への機密接続を再確立できるようにしたことを特徴とするメモリカード。」
　
（２）周知技術
　
　前記「４．引用文献」において、
　
　（ア）及び（イ）における記載からすると、ワイヤレス・アプリケーション・プロトコル・アーキテクチャにおけるＷＴＬＳを用いてクライアントとサーバとの間にセキュアな接続を確立する態様が記載されているものと認められる。
　
　また、（ア）、（イ）及び（キ）における記載からすると、マスターシークレットは、ワイヤレス通信ネットワークで接続されたサーバとクライアントとの間にセキュアな接続を確立するためのものであることから、サーバに接続されたクライアントのアクセスを制御するための情報であると認められる。そして、（ク）における記載からすると、クライアントとサーバが接続を再開するときには、マスターシークレットを再計算することなく、以前のものと同じマスターシークレットを用いて接続を再確立できるようにする態様が記載されているものと認められるが、「以前のものと同じマスターシークレットを用い」るということは、クライアントが何らかの記憶手段（以下、「メモリ」という。）を有し、マスターシークレットを当該メモリにセーブして、サーバへのセキュアな接続を再確立できるようにしたことに他ならない。そして、クライアントがメモリを有する場合、メモリとインタフェース手段（以下、「コンタクト手段」という。）を介して情報の送受信を行うことは、自明のことである。
　してみれば、引用文献には、クライアントに設けられたコンタクト手段に接続され、サーバへのセキュアな接続を確立する際にクライアントへ情報を与え、この情報は、ワイヤレス通信ネットワークを通るクライアントのアクセスを制御することを特徴とするメモリが記載されているものと認められる。
　また、引用文献には、クライアントがサーバに接続されており、そして１つ以上のサーバに関連した計算されたマスターシークレットをセーブして、サーバへのセキュアな接続を再確立できるようにする態様が記載されているものと認められる。
　
　したがって、引用文献には、以下の発明（以下、「引用文献記載の発明」という。）が開示されているものと認められる。
　
　ワイヤレスアプリケーションプロトコルに基づいて、クライアント（本願請求項１２に係る発明における「ワイヤレス通信装置」に相当）とサーバ（本願請求項１２に係る発明における「データ通信装置」に相当）との間にセキュアな接続（本願請求項１２に係る発明における「機密接続」に相当）を確立するためのメモリであって、上記クライアントに設けられたコンタクト手段に接続され、サーバへのセキュアな接続（本願請求項１２に係る発明における「機密セッション」に相当）を確立する際にメモリからクライアントへ情報を与え、この情報は、ワイヤレス通信ネットワークを通るクライアントのアクセスを制御するものであり、前記クライアントはサーバに接続されており、そして１つ以上のサーバに関連した計算されたマスターシークレットをセーブして、サーバへのセキュアな接続（本願請求項１２に係る発明における「機密接続」に相当）を再確立できるようにしたことを特徴とするメモリ。
　
（３）相違点
　
　本願請求項１２に係る発明では、ワイヤレス通信装置が有するメモリ手段としてメモリカードを用いているのに対し、引用文献記載の発明においては、何らかのメモリを有しているものの、具体的にどのようなメモリを使用しているか不明である点。
　
（４）判断
　
　上記相違点について、検討する。
　
　当該技術分野において、メモリカードは周知の技術であり、引用文献記載の発明においても、クライアントが有するメモリとしてメモリカードを採用することは、当業者にとって何ら困難性もない。
　
　よって、相違点は格別のものではない。
　
　上記で検討したごとく、相違点は格別のものではなく、そして、本願請求項１２に係る発明の構成によってもたらされる効果も、当業者であれば当然に予測可能なものに過ぎず格別なものとは認められない。 
　
　したがって、本願請求項１２に係る発明は、引用文献記載の発明及び周知技術に基づいて、容易に発明できたものである。
　
８．むすび 
　
　以上のとおり、本願発明は、上記引用文献に記載された発明に基いて、その出願前にその発明の属する技術の分野における通常の知識を有する者が容易に発明をすることができたものであり、また、本願請求項１２に係る発明についても、上記引用文献に記載された発明に基いて、その出願前にその発明の属する技術の分野における通常の知識を有する者が容易に発明をすることができたものであることから、いずれの発明も、特許法第２９条第２項の規定により特許を受けることができない。
　
　よって、結論のとおり審決する。